(57)【要約】【課題】駆動タイミングズレが発生しても、２つの切換レバーがロック状態に至らないディスクローディング機構を備えたディスク装置を提供する。【解決手段】第１切換レバー６の支持部６ｂのうち、弾性体８より前方に位置するシャーシ１寄りの角部を削ぎ落とすようにして弾性体退避空間１１が形成されている。弾性体退避空間１１は、弾性体８が丸ごと収まるほどのスペースを有するものではないが、弾性体８がシャーシ１の突起部１ａの下側に潜り込む際に弾性体退避空間１１側へ捻れながら変位することが十分に可能なスペースを有するものである。【選択図】　　　　図１
2004103164.tif 000002
【特許請求の範囲】
【請求項１】
内面に突起部を有する筐体と、該筐体内に配設されかつディスクを搬送するための駆動力を与える駆動モータと、該駆動モータの駆動力を受けて前記筐体の突起部に近接する直線領域で往復移動する第１切換レバーと、前記駆動モータの駆動力を受けて前記第１切換レバーに近接する直線領域で前記第１切換レバーの駆動開始タイミングとは異なる駆動開始タイミングで往復移動する第２切換レバーと、前記第１切換レバーに片持ち梁状に設けられ該第１切換レバーが往復移動する際に前記筐体の突出部により押圧されて前記第２切換レバー側へ移動することにより前記駆動モータからの駆動力が断たれた前記第２切換レバーに当接し前記第２切換レバーを所定位置まで押し戻すための弾性体と、前記第１切換レバーの前記弾性体の近接位置に設けられた弾性体退避空間とを有するディスクローディング機構を備えたディスク装置。
【請求項２】
内部に突起部を有する筐体と、該筐体内に配設されかつディスクを搬送するための駆動力を与える駆動モータと、該駆動モータの駆動力を受けて前記筐体の突起部に近接する直線領域で往復移動する第１切換レバーと、前記筐体内に配設されディスクの挿入に連動し前記第１切換レバーを前記駆動モータの駆動力が伝わる位置まで移動させるトリガー部材と、前記第１切換レバーに設けられ該第１切換レバーが往復移動する際に前記筐体の突起部により押圧されて移動する弾性体と、前記第１切換レバーの駆動タイミングとは異なる駆動開始タイミングで動作し第１切換レバーと所定の間隔をもって往復移動する第２切換レバーと、前記第１切換レバーの弾性体近接位置に設けられ前記第１切換レバーと前記第２切換レバーが所定の間隔を得られないまま移動した場合も前記第２切換レバーを所定位置まで押し戻すために前記第１切換レバーに設けられた弾性体が前記筐体の突起部により押圧されて第２切換レバー側へ移動し、前記駆動モータからの駆動力が断たれた前記第２切換レバーに当接した状態で退避する弾性体退避空間を有するディスクローディング機構とを備えたことをディスク装置。
【発明の詳細な説明】
【０００１】
【発明の属する技術分野】
この発明は、ディスクの挿入または排出に関連してディスクを搬送するディスクローディング機構を備えたディスク装置に関するものである。
【０００２】
【従来の技術】
図３は従来のディスク装置の外部を斜め上方から視た斜視図であり、図４は　図３に示したディスク装置の内部を斜め下方から視た斜視図であり、図５は図３および図４に示したディスク装置の第１切換レバーの構成を示す斜視図であり、図６（ａ）から図６（ｃ）は図５のＶＩ−ＶＩ線断面図であって正常なディスク排出動作時におけるシャーシと第１および第２切換レバーとの位置関係の変化を示しており、図７（ａ）および図７（ｂ）は図５のＶＩＩ−ＶＩＩ線断面図であって駆動タイミングズレ発生時におけるシャーシと第１および第２切換レバーとの位置関係の変化を示している。なお、図４から図７（ｂ）までの図面において右側を前方とし、左側を後方とする。このため、後述する矢印Ａ方向は前側から後側へ向かう方向であり、Ｂ方向はその逆方向である。
【０００３】
図において１はディスク装置の外装を担う函状のシャーシ（筐体）であり、このシャーシ１には図３および図４に示すようにディスク（図示せず）の挿入または排出を行うスロット２が設けられており、このスロット２にはスロット２を開閉するシャッタ３が回動可能に取り付けられている。即ち、ディスク（図示せず）は矢印Ａ方向に沿って挿入可能であり、Ｂ方向に沿って排出可能である。縁部でスロット２の一部を構成するシャーシ１の上底面の内側には、例えば図６（ａ）から図６（ｃ）等に示すように山形状の突起部１ａが設けられている。また、縁部でスロット２の一部を構成するシャーシ１の一側面の内側には、ディスク（図示せず）を搬送するための駆動力を与える駆動モータ４が配設されている。駆動モータ４は、図４に示すようにギア５等を介して第１切換レバー６および第２切換レバー７に駆動力を与えるように構成されている。
【０００４】
第１切換レバー６は、例えば図５に示すようにスロット２に近い前側の位置にギア５と噛合可能に形成されたラック６ａと、スロット２から離れた側に設けられシャーシ１の突起部１ａに当接可能な弾性体８と、この弾性体８を片持ち梁状に支持する板状の支持部６ｂと、シャーシ１の上底面に設けられたガイド部１ｂに摺接するガイド爪６ｃと、最後部に形成され第１切換レバー６を後方の原点位置に復帰させるために常に矢印Ａ方向に付勢する付勢部材（図示せず）に連結するためのフック部６ｄとを有している。弾性体８は支持部６ｂに一体に設けられ支持部６ｂと略同じ厚さの板部８ａとこの板部８ａからシャーシ１側へ隆起する隆起部８ｂとから概略構成されており、弾性体８は支持部６ｂに対し撓むものの、それ自体は体積変形するものではない。このような第１切換レバー６は駆動モータ４の駆動力を受けてシャーシ１の突起部１ａに近接する直線領域で矢印Ａ方向またはＢ方向に沿って往復移動可能である。
【０００５】
第２切換レバー７は図６（ａ）から図７（ｂ）までに示すように第１切換レバー６側に向けて隆起する隆起部７ａと、この隆起部７ａよりも前側の位置にギア５と噛合可能に形成されたラック（図示せず）と、最後部に形成され第２切換レバー７を後方の原点位置に復帰させるために常に矢印Ａ方向に付勢する付勢部材（図示せず）に連結するためのフック部（図示せず）とを有しており、駆動モータ４の駆動力を受けて第１切換レバー６に近接する直線領域で矢印Ａ方向またはＢ方向に沿って第１切換レバー６の駆動開始タイミングとは異なる駆動開始タイミングで往復移動可能である。
【０００６】
シャーシ１にはスロット２の近傍位置に正回転または逆回転することでディスク（図示せず）挿入または排出を行う搬送ゴムローラ（図示せず）が配設されている。また、シャーシ１の上底面には、図３に示すように、ディスク（図示せず）の挿入時に後方（矢印Ａ方向）へ移動してディスク（図示せず）の位置決めを行うスライド部材９が配設されている。シャーシ１の内部には、図３に示すように、ディスク（図示せず）の挿入に連動して第１切換レバー６を駆動モータ４の駆動力が伝わる位置まで移動させることで、ディスク（図示せず）の水平移動（矢印Ａ方向またはＢ方向）から下方移動への切換えを担うトリガー部材１０が配設されている。なお、上記各部品によりディスクローディング機構が構成されている。
【０００７】
次に動作について説明する。
まず、ディスク（図示せず）をスロット２から挿入すると、搬送ゴムローラ（図示せず）の正回転の駆動力によりシャーシ１内に引き込まれる。次に、ディスク（図示せず）の周縁部の一部がスライド部材９に当接するため、スライド部材９が後退してディスク（図示せず）に対して位置決めが行われる。このとき、スライド部材９の後退動作に連動したトリガー部材１０により第１切換レバー６が前方（矢印Ｂ方向）へ押し込まれ、ギア５に当接することで駆動モータ４の駆動力を受けて前進を開始する。第１切換レバー６が前方の所定の位置まで到達すると、第１切換レバー６と第２切換レバー７とが干渉し、その後、第２切換レバー７が第１切換レバー６の直線移動に引き込まれ、ギア５に当接することで駆動モータ４の駆動力を受けて前進を開始し、所定の完了位置まで移動する。
【０００８】
次に、ディスク（図示せず）を排出する場合には、駆動モータ４の駆動力によりギア５に当接している第１切換レバー６および第２切換レバー７を同時に後方（矢印Ａ方向）へ直線移動させる。所定の位置で第２切換レバー７がギア５から分離されると、第２切換レバー７への駆動モータ４の駆動力が断たれるが、その後、第２切換レバー７は所定の位置まで、ギア５に当接して駆動され続ける第１切換レバー６により正常位置まで後方（矢印Ａ方向）へ押し戻される。即ち、シャーシ１の突起部１ａと第１切換レバー６に設けられた弾性体８と第２切換レバー７の隆起部７ａとの相対位置関係の変化に注目すると、図６（ａ）に示すように、まず第２切換レバー７の隆起部７ａは駆動モータ４の駆動力を受けてシャーシ１の突起部１ａの直下（近接位置）まで矢印Ａ方向へ移動し、第２切換レバー７はギア５から分離される。その後、図６（ｂ）に示すように、駆動モータ４の駆動力を受け続ける第１切換レバー６の弾性体８の隆起部８ｂがシャーシ１の突起部１ａに当接し押圧されて下側へ潜り込む。この弾性体８の下方移動により弾性体８の板部８ａが第２切換レバー７の隆起部７ａの側面に当接するため、図６（ｃ）に示すように駆動モータ４の駆動力を受け続ける第１切換レバー６の矢印Ａ方向への移動に伴って、第２切換レバー７は正規位置まで矢印Ａ方向へ押し戻される。
【０００９】
【発明が解決しようとする課題】
しかし、従来のディスク装置は上述のような構成を有しているので、次のような課題があった。即ち、ディスク装置内にディスク（図示せず）が挿入されていない状態で、例えば衝撃等により第１切換レバー６および第２切換レバー７が移動して、共にギア５に当接してしまうと、次のディスク挿入動作時に、第１切換レバー６と第２切換レバー７とが同時にギア５により直線移動を開始する駆動タイミングズレ（以下、モードズレともいう）が発生する。このとき、第１切換レバー６は挿入完了位置まで移動せず、排出動作に移行する。ここで、図７（ａ）に示すように、第１切換レバー６の弾性体８と第２切換レバー７の隆起部７ａとがシャーシ１の突起部１ａの下側を同時に通過しようとするため、図７（ｂ）に示すように、シャーシ１の突起部１ａにより下方へ押圧される第１切換レバー６の弾性体８の板部８ａが第２切換レバー７の隆起部７ａの上面と干渉する。このため、第１切換レバー６と第２切換レバー７は共にギア５に当接した状態であるため、両レバーの移動はロック状態に陥るという課題があった。
【００１０】
この発明は上記のような課題を解決するためになされたもので、駆動タイミングズレが発生しても、２つの切換レバーがロック状態に至らないディスクローディング機構を備えたディスク装置を得ることを目的とする。
【００１１】
【課題を解決するための手段】
この発明に係るディスク装置は、内面に突起部を有する筐体と、該筐体内に配設されかつディスクを搬送するための駆動力を与える駆動モータと、該駆動モータの駆動力を受けて前記筐体の突起部に近接する直線領域で往復移動する第１切換レバーと、前記駆動モータの駆動力を受けて前記第１切換レバーに近接する直線領域で前記第１切換レバーの駆動開始タイミングとは異なる駆動開始タイミングで往復移動する第２切換レバーと、前記第１切換レバーに片持ち梁状に設けられ該第１切換レバーが往復移動する際に前記筐体の突出部により押圧されて前記第２切換レバー側へ移動することにより前記駆動モータからの駆動力が断たれた前記第２切換レバーに当接し前記第２切換レバーを所定位置まで押し戻すための弾性体と、前記第１切換レバーの前記弾性体の近接位置に設けられた弾性体退避空間とを有するディスクローディング機構を備えたものである。
【００１２】
【発明の実施の形態】
以下、この発明の実施の一形態を説明する。
実施の形態１．
図１はこの発明の実施の形態１によるディスク装置の要部を示す断面図であり、図２（ａ）から図２（ｃ）は図１に示したディスク装置のタイミングズレ発生時における弾性体の退避動作を示す断面図である。なお、この実施の形態１によるディスク装置の各構成要素が図３から図７（ｂ）に示した従来のディスク装置の各構成要素と共通するものについては同一符号を付し、その部分の説明を省略する。また、図１から図２（ｃ）は図６（ａ）から図７（ｂ）に対応する断面図である。
【００１３】
この実施の形態１の特徴は、例えば図１に示すように、第１切換レバー６の支持部６ｂのうち、弾性体８より前方に位置するシャーシ１寄りの角部を削ぎ落とすようにして弾性体退避空間１１が形成されている点にある。弾性体退避空間１１は、弾性体８が丸ごと収まるほどのスペースを有するものではないが、弾性体８がシャーシ１の突起部１ａの下側に潜り込む際に弾性体退避空間１１側へ捻れながら変位することが十分に可能なスペースを有するものである。
【００１４】
次に動作について説明する。
ディスク（図示せず）の挿入動作および排出動作については、この実施の形態１によるディスク装置と従来のディスク装置とでは次の一点を除き変わりはない。即ち、ディスク装置内にディスク（図示せず）が挿入されていない状態で、例えば衝撃等により第１切換レバー６および第２切換レバー７が所定の間隔を得られないまま移動して、共にギア５に当接してしまうと、次のディスク挿入動作時に、第１切換レバー６と第２切換レバー７とが同時にギア５により直線移動を開始するモードズレが発生する。このとき、第１切換レバー６は挿入完了位置まで移動せず、排出動作に移行する。ここで、図２（ａ）に示すように、第１切換レバー６の弾性体８と第２切換レバー７の隆起部７ａとがシャーシ１の突起部１ａの下側を同時に通過しようとする。次に、図２（ｂ）に示すように、シャーシ１の突起部１ａに当接した第１切換レバー６の弾性体８が弾性体退避空間１１側へ回動しながら退避するため、第２切換レバー７の隆起部７ａを第１切換レバー６より所定の間隔をもたせながら先行させることができる。次に、図２（ｃ）に示すように、弾性体退避空間１１から弾性体８が押し出され、ギア５から分離し駆動力を断たれた第２切換レバー７の隆起部７ａの側面に弾性体８の板部８ａが当接するため、駆動モータ４の駆動力を受け続ける第１切換レバー６の矢印Ａ方向への移動に伴って、第２切換レバー７は正規位置まで矢印Ａ方向へ押し戻される。
【００１５】
以上のように、この実施の形態１によれば、第１切換レバー６の弾性体８の近接位置に弾性体退避空間１１を設けるように構成したので、両レバー同士の駆動開始タイミングが一致するタイミングズレが発生して両レバーが所定の間隔を得られないまま移動した場合でも、弾性体退避空間１１内に弾性体８を退避させて第１切換レバー６および第２切換レバー７のロック状態を確実に回避することができる。これにより、第１切換レバー６および第２切換レバー７間の駆動開始タイミングが異なる正常状態に戻すことができるので、ディスク装置を再起動させることができるという効果がある。
【００１６】
【発明の効果】
以上のように、この発明によれば、内面に突起部を有する筐体と、該筐体内に配設されかつディスクを搬送するための駆動力を与える駆動モータと、該駆動モータの駆動力を受けて前記筐体の突起部に近接する直線領域で往復移動する第１切換レバーと、前記駆動モータの駆動力を受けて前記第１切換レバーに近接する直線領域で前記第１切換レバーの駆動開始タイミングとは異なる駆動開始タイミングで往復移動する第２切換レバーと、前記第１切換レバーに片持ち梁状に設けられ該第１切換レバーが往復移動する際に前記筐体の突出部により押圧されて前記第２切換レバー側へ移動することにより前記駆動モータからの駆動力が断たれた前記第２切換レバーに当接し前記第２切換レバーを所定位置まで押し戻すための弾性体と、前記第１切換レバーの前記弾性体の近接位置に設けられた弾性体退避空間とを有するディスクローディング機構を備えるように構成したので、駆動開始タイミングが一致するタイミングズレが発生しても、弾性体退避空間内に弾性体を退避させて第１および第２切換レバーのロック状態を確実に回避することができる。これにより、第１および第２切換レバー間の駆動開始タイミングが異なる正常状態に戻すことができるので、ディスク装置を再起動させることができるという効果がある。
【図面の簡単な説明】
【図１】この発明の実施の形態１によるディスク装置の要部を示す断面図である。
【図２】（ａ）から（ｃ）は図１に示したディスク装置のタイミングズレ発生時における弾性体の退避動作を示す断面図である。
【図３】従来のディスク装置の外部を斜め上方から視た斜視図である。
【図４】図３に示したディスク装置の内部を斜め下方から視た斜視図である。
【図５】図３および図４に示したディスク装置の第１切換レバーの構成を示す斜視図である。
【図６】（ａ）から（ｃ）は図５のＶＩ−ＶＩ線断面図であって正常なディスク排出動作時におけるシャーシと第１および第２切換レバーとの位置関係の変化を示す断面図である。
【図７】（ａ）および（ｂ）は図５のＶＩＩ−ＶＩＩ線断面図であって駆動タイミングズレ発生時におけるシャーシと第１および第２切換レバーとの位置関係の変化を示す断面図である。
【符号の説明】
１　シャーシ（筐体）、１ａ　突起部、２　スロット、３　シャッタ、４　駆動モータ、５　ギア、６　第１切換レバー、６ａ　ラック、６ｂ　支持部、　６ｃ　ガイド爪、６ｄ　フック部、７　第２切換レバー、７ａ　隆起部、８　弾性体、８ａ　板部、８ｂ　隆起部、９　スライド部材、１０　トリガー部材、１１
弾性体退避空間。
【図１】
2004103164.tif 000003
【図２】
2004103164.tif 000004
【図３】
2004103164.tif 000005
【図４】
2004103164.tif 000006
【図５】
2004103164.tif 000007
【図６】
2004103164.tif 000008
【図７】
2004103164.tif 000009